(57)【特許請求の範囲】
【請求項１】
３つの壁面が平面視コ字形状に配置された部分に下段側ベッドと上段側ベッドとが各々の配置方向が互いに９０度異なり且つ部分的に重なり合うようにして上下方向に間隔を隔てて配置され、互いに対向する２つの前記壁面のうちの一方の壁面に開閉可能な窓を備えた多段式ベッド付き部屋であって、
前記下段側ベッドはその片方の側面を前記窓に向けた状態で床面に載置され、
前記上段側ベッドは互いに対向する２つの前記壁面の間の壁面にベッド側面を密着させベッド足部側を前記窓のある壁面に向けるとともに前記窓と対向する前記壁面部分に立設された２本の支柱およびベッド足部側に立設された１本の支柱によって支持され、
前記上段側ベッドと前記床面との間のスペースに机および椅子が配置され、
前記上段側ベッドに垂直に固定された支持軸にヒンジを介して昇降用梯子がドア状に回動自在に取り付けられ、
前記上段側ベッドの頭部側の前記壁面に当該上段側ベッドを上下方向に貫通するように照明灯が設けられた
ことを特徴とする多段式ベッド付き部屋。
【発明の詳細な説明】
【０００１】
【発明の属する技術分野】
本発明は、複数の人間が同時に使用できるように、複数のベッドを上下方向に配置した構造を有する多段式ベッド付きの部屋に関する。
【０００２】
【従来の技術】
従来より、限られたスペース内において複数の人間が同時に就寝、休息することができるように、上下方向に複数のベッドを配置した構造を有する多段式ベッドが使用されている。
【０００３】
従来の多段式ベッドは、同じ方向を向いた複数のベッドを上下方向に所定間隔をおいて配置し、上下に連続した４本程度の支柱で保持した構造であり、それぞれのベッドは独立して使用可能である。また、上段側ベッドの使用者が昇り降りするための用具として、ベッドの頭部付近あるいは足部付近などに昇降用梯子が設けられているものもある。
【０００４】
【発明が解決しようとする課題】
従来の多段式ベッドにおいて、各ベッドは同じ方向を向けて配置され、上段側ベッドと下段側ベッドとは互いに全面に渡って重なり合った構造であるため、下段側ベッドの使用者がベッド上に仰臥した場合、その目前に、上段側ベッドの下面全体が位置した状態となり、大きな圧迫感を受ける。
【０００５】
また、従来の多段式ベッドは上段側ベッドと下段側ベッドとが全面に渡って重なり合っているため、上段側ベッドの使用者が体を動かしたときに発生する寝具の摩擦音やベッドの軋み音、あるいは昇降用梯子を使用するときの足音などは、下段側ベッドの使用者の耳に大きな騒音となって入ってくる。
【０００６】
特に、従来の多段式ベッドの場合、ベッドを構成する支柱などの支持部材が連続した構造であるため、使用者の体の動きによって発生する軋み音や振動などが支持部材を伝わりやすく、これらの軋み音や振動によって安眠を妨げられることも多い。
【０００７】
したがって、多段式ベッドに不慣れな者が下段側ベッドを使用する場合、これらの圧迫感や騒音などが原因で、十分に休息、安眠できないことが多い。
【０００８】
さらに、従来の多段式ベッドの場合、スペースの有効活用の観点から各ベッド間の上下方向の間隔は必要最小限しかとられていないため、体格の大きい者が下段側ベッドを使用した場合など、ベッド上で上半身のみを起き上がらせた姿勢をとることが困難なことある。
【０００９】
そこで、本発明が解決しようとする課題は、スペースを有効活用しつつ、休息や安眠を妨げられることのない快適な空間を確保することができる多段式ベッド付きの部屋を提供することにある。
【００１０】
【課題を解決するための手段】
前記課題を解決するため、本発明の多段式ベッド付きの部屋は、３つの壁面が平面視コ字形状に配置された部分に下段側ベッドと上段側ベッドとが各々の配置方向が互いに９０度異なり且つ部分的に重なり合うようにして上下方向に間隔を隔てて配置され、互いに対向する２つの前記壁面のうちの一方の壁面に開閉可能な窓を備えた多段式ベッド付き部屋であって、
前記下段側ベッドはその片方の側面を前記窓に向けた状態で床面に載置され、
前記上段側ベッドは互いに対向する２つの前記壁面の間の壁面にベッド側面を密着させベッド足部側を前記窓のある壁面に向けるとともに前記窓と対向する前記壁面部分に立設された２本の支柱およびベッド足部側に立設された１本の支柱によって支持され、
前記上段側ベッドと前記床面との間のスペースに机および椅子が配置され、
前記上段側ベッドに垂直に固定された支持軸にヒンジを介して昇降用梯子がドア状に回動自在に取り付けられ、
前記上段側ベッドの頭部側の前記壁面に当該上段側ベッドを上下方向に貫通するように照明灯が設けられたことを特徴とする。このような構成とすることにより、下段側ベッドの上方に、上段側ベッドの一部のみが位置した状態となるため、下段側ベッドの使用者がベッド上に仰臥したときに受ける圧迫感が少なくなり、ベッド上で起き上がる姿勢をとる場合にも支障がない。
【００１１】
また、上段側ベッドと下段側ベッドとの間において共有する支柱などの構成部材を少なくすることができるため、ベッド使用時に発生する軋み音や振動などが伝わりにくい構造とすることができ、休息や安眠を妨げられることのない快適な空間を確保することができる。
【００１２】
この場合、複数のベッドは上下方向に配置されているためスペースを有効活用することができ、上段側ベッドの下方の全面に渡って下段側ベッドが位置しないため、上段側ベッドの下方にスペースを設けて机や椅子などを配置することも可能となる。
【００１３】
また、本発明の多段式ベッド付き部屋では、ドア状に回動可能な昇降用梯子を設けることにより、上段側にあるベッドなどへ昇り降りする際にこの昇降用梯子を用いて容易かつ安全に昇降できるようになり、昇降用梯子を使わない場合は、適当な方向へ畳んで収納することができるため、邪魔にならず、スペースの有効活用にも寄与することができる。
【００１４】
さらに、本発明の多段式ベッド付き部屋では、上段側に位置するベッドの周辺部に、このベッドの上方および下方を照射可能な照明灯を設けることにより、照明灯の光は上段側ベッドだけでなく、その下側にあるベッドにも直接届くようになるため、各々のベッドごとに照明灯を設ける必要がなくなり、構造の簡素化およびスペースの有効活用を図ることができる。この場合、例えば、上段側ベッドの周辺部に、上段側ベッドを貫通するように照明灯を設けた構造などを採用することができる。
【００１５】
【発明の実施の形態】
以下、本発明の実施の形態を図面に基づいて説明する。図１は実施の形態である多段式ベッド付き部屋を示す平面図、図２は前記多段式ベッド付き部屋に配置された多段式ベッドの正面図、図３は前記多段式ベッドの側面図、図４は図２のＡ−Ａ線における断面図である。
【００１６】
本実施形態の多段式ベッド付き部屋に配置された多段式ベッド１０では、下段側ベッド１１と上段側ベッド１２とを、各々の方向が９０度異なるように配置するとともに、上下方向に所定間隔を隔てて配置している。このような構成とすることにより、下段側ベッド１１と上段側ベッド１２とが全面的に重なり合わず、下段側ベッド１１の上方には、上段側ベッド１２の一部のみが位置した状態となるため、下段側ベッド１１の使用者が受ける圧迫感が少なくなる。
【００１７】
また、下段側ベッド１１の使用者１３がベッド上で上半身を起き上がらせたときに邪魔になる上段側ベッド１２の占める割合が少なくなるため、使用者１３の体格が大きい場合でも支障なく使用することができる。
【００１８】
さらに、下段側ベッド１１と上段側ベッド１２とは全面的に重なり合っていないので、各々のベッドを使用している場合、上段側ベッド１２の使用者２２が体を動かしたときに発生する寝具の摩擦音やベッドの軋み音などが下段側ベッド１１の使用者１３に届き難く、休息や安眠を妨げられることもなくなる。
【００１９】
なお、下段側ベッド１１の使用者１３は、図１に示す姿勢で休息、睡眠するのが普通であるが、頭と足の位置を図１に示す状態と逆にして使用することも可能である。この場合、下段側ベッド１１の使用者１３の頭の位置が上段側ベッド１２からさらに離れた状態となるため、使用者１３が受ける圧迫感がより少なくなり、使用者２２が体を動かしたときに発生する寝具の摩擦音やベッドの軋み音などが使用者１３に届き難くなり、ベッド上での起き上がりも楽になるなどの利点がある。
【００２０】
一方、下段側ベッド１１は床面１７上に載置され、上段側ベッド１２は壁面１４部分に立設された支柱１５および上段側ベッド１２の下端部に立設された支柱１６によって支持された構造であって、下段側ベッド１１と上段側ベッド１２との間で共有する支柱がないため、ベッド使用時に発生する軋み音や振動などが伝わり難く、休息や安眠を妨げられることのない快適な空間を確保することができる。
【００２１】
この場合、上段側ベッド１２は３本の支柱１５，１６によって保持されているため、４本の支柱を使用する従来の多段式ベッドに比べ邪魔な支柱が少なく、スペースを有効活用することができ、構造の簡略化により製造コストの低減を図ることもできる。また、下段側ベッド１１と上段側ベッド１２の長さや幅が互いに異なった構造とすることも容易である。
【００２２】
また、下段側ベッド１１および上段側ベッド１２は所定間隔を隔てて上下方向に配置されているため、狭いスペースを有効活用することができ、上段側ベッド１２の下方の全面に渡って下段側ベッド１１が位置しないように配置しているため、上段側ベッド１２の下方に生まれるスペースに机１８や椅子１９などを配置することができる。
【００２３】
さらに、本実施形態の多段式ベッド１０では、上段側ベッド１２への昇り降りの際に使用する昇降用梯子２０を設けているため、ベッド使用者は容易かつ安全に昇降することができる。また、昇降用梯子２０は、支持軸２１に回動自在なヒンジ２３を備えているため、支持軸２１を中心にして昇降用梯子２０全体がドア状に回動可能であり、昇降用梯子２０を使わない場合は、適当な方向へ畳んで収納することができる。したがって、ベッド使用者が移動したり、机１８や椅子１９などを使用する際の邪魔にならず、スペースの有効活用にも寄与することができる。
【００２４】
一方、本実施形態の多段式ベッド１０では、上段側ベッド１２の頭部側に、上段側ベッド１２を上下方向に貫通するように照明灯２４を設けているため、照明灯２４によって、上段側ベッド１２の頭部および上段側ベッド１２の下面側を同時に照射することができ、机１８を使用する場合にも十分な明るさを確保することができる。このような照明灯２４を設けることにより、上段側ベッド１２および下段側ベッド１１にそれぞれ個別に照明灯を設ける必要がなくなるため、スペースの有効活用を図ることができ、構造の簡素化によって製造コストを低減することもできる。
【００２５】
【発明の効果】
本発明により以下の効果を奏することができる。
【００２６】
（１）複数のベッドを、各々の配置方向が互いに異なるようにして上下方向に間隔を隔てて配置したことにより、下段側ベッドの上方に、上段側ベッドの一部のみが位置した状態となるため、下段側ベッドの使用者が受ける圧迫感が少なくなる。また、ベッド使用時に発生する軋み音や振動などが伝わりにくくなるため、休息や安眠を妨げられることのない快適な空間を確保することができる。
【００２７】
（２）複数のベッドは上下方向に配置されているためスペースを有効活用することができ、上段側ベッドの下方の全面に渡って下段側ベッドが位置しないように配置することができるため、上段側ベッドの下方にスペースを設けて机や椅子などを配置することも可能となる。
【００２８】
（３）ドア状に回動可能な昇降用梯子を設けることにより、上段側ベッドなどへ昇り降りする際に容易かつ安全に昇降できるようになり、昇降用梯子を使わない場合は、適当な方向へ畳んで収納することができるため、ベッド使用者の邪魔にならず、スペースの有効活用を図ることができる。
【００２９】
（４）上段側ベッドの周辺部に、このベッドの上面側および下面側を照射可能な照明灯を設けることにより、照明灯の光は上段側ベッドだけでなく下段側ベッドにも直接届くようになるため、各々のベッドごとに照明灯を設ける必要がなくなり、構造が簡素化され、スペースを有効に活用することができる。
【図面の簡単な説明】
【図１】実施の形態である多段式ベッド付き部屋を示す平面図である。
【図２】図１に示す多段式ベッド付き部屋に配置された多段式ベッドの正面図である。
【図３】図１に示す多段式ベッド付き部屋に配置された多段式ベッドの側面図である。
【図４】図２のＡ−Ａ線における断面図である。
【符号の説明】
１０  多段式ベッド
１１  下段側ベッド
１２  上段側ベッド
１３，２２  使用者
１４  壁面
１５，１６  支柱
１７  床面
１８  机
１９  椅子
２０  昇降用梯子
２１  支持軸
２３  ヒンジ
２４  照明灯
【図１】
0003560452.tif 000002
【図２】
0003560452.tif 000003
【図３】
0003560452.tif 000004
【図４】
0003560452.tif 000005